(57)【特許請求の範囲】
【請求項１】
他の情報処理装置と通信可能であって、画像を送受信することが可能な情報処理装置において、
複数のキーを有し、手指の選択や手指の動きの選択の為に割り当てられた１又は複数のキーの組合せ入力がなされる操作部と、
画像を表示する表示部と、
前記キーの組合せ入力に対応して、選択された手指とその手指の動きに対応した指文字画像を表示パターン辞書の中から選択し、前記キーの組合せ入力に対応する目的の指文字画像を作成して前記表示部に表示させる制御部と、
前記目的の指文字画像または前記目的の指文字画像に対応する文字コードを他の情報処理装置に送信する送信部と、
を含むことを特徴とする情報処理装置。
【請求項２】
前記表示部は、画面を分割して表示し、分割した画面に他の情報処理装置から受信する指文字画像を表示し、他の分割した画面に該選択された指文字画像を表示することを特徴とする請求項１に記載の情報処理装置。
【請求項３】
他の情報処理装置と通信可能であって、画像を送受信することが可能なユニバーサル通信方法において、
手指の選択や手指の動きの選択の為に割り当てられた１又は複数のキーとの組合せ入力がなされる操作部からの前記キーの組合せ入力に対応して、選択された手指とその手指の動きに対応した指文字画像を表示パターン辞書の中から選択し、前記キーの組合せ入力に対応する目的の指文字画像を作成して表示部に表示させる作成手順と、
前記目的の指文字画像または前記目的の指文字画像に対応する文字コードを送信することで前記目的の指文字画像を他の情報処理装置に送信する送信手順と、
を含むことを特徴とするユニバーサル通信方法。
【請求項４】
他の情報処理装置と通信可能であって、画像を送受信することが可能なユニバーサル通信プログラムにおいて、
手指の選択や手指の動きの選択の為に割り当てられた１又は複数のキーとの組合せ入力がなされる操作部からの前記キーの組合せ入力に対応して、選択された手指とその手指の動きに対応した指文字画像を表示パターン辞書の中から選択し、前記キーの組合せ入力に対応する目的の指文字画像を作成して表示部に表示させる作成ステップと、
前記目的の指文字画像または前記目的の指文字画像に対応する文字コードを送信することで前記目的の指文字画像を他の情報処理装置に送信する送信ステップと、
をコンピュータに実行させることを特徴とするユニバーサル通信プログラム。
【請求項５】
前記操作部は、手指の選択とその手指の折るまたは伸ばす動作の選択の為に割り当てられた複数の第１の選択キーと、手の左右、上下または表裏の向きの選択の為に割り当てられた複数の第２のキーを含むことを特徴とする請求項１記載の情報処理装置。
【請求項６】
前記操作部は、手指の選択とその手指の折るまたは伸ばす動作の選択の為に割り当てられた複数の第１の選択キーと、手の左右、上下または表裏の向きの選択の為に割り当てられた複数の第２のキーを含むことを特徴とする請求項３記載のユニバーサル通信方法。
【請求項７】
前記操作部は、手指の選択とその手指の折るまたは伸ばす動作の選択の為に割り当てられた複数の第１の選択キーと、手の左右、上下または表裏の向きの選択の為に割り当てられた複数の第２のキーを含むことを特徴とする請求項４記載のユニバーサル通信プログラム。
【発明の詳細な説明】
【技術分野】
【０００１】
本発明は、他の情報処理装置と画像を送受信することができる情報処理装置に関するものであり、特に画像を用いてコミュニケーションを図る情報処理装置に関するものである。
【背景技術】
【０００２】
近年、携帯電話機が普及してきており、携帯電話機における電子メールのやりとりが盛んに行われている。また多くの携帯電話機はカメラ機能を搭載しており、携帯電話機のユーザはカメラ機能を用いてユーザの容姿を撮影し、通信回線を通じてその容姿の画像を随時送受信することによって、いわゆるテレビ電話形式などの通信も頻繁に行われている。
【０００３】
そして聾唖者などの聴覚障害者も、テレビ電話形式によって、携帯電話機を用いてコミュニケーションを図ることができる。
【０００４】
図１は、テレビ電話形式によって行う通話の概念図である。
【０００５】
具体的には図１に示すように、テレビ電話形式によってコミュニケーションを図る場合、携帯電話機１のユーザは、カメラ１１を用いて撮影したユーザの容姿などの画像を相手方の携帯電話機２１へ送信する。相手方も同様にして、カメラ２１を用いて撮影した相手方の容姿などの画像をユーザの携帯電話機１１へ送信する。そしてお互い受信した画像を表示部１２、２２に表示して、お互いの容姿を視覚的に認識しながら携帯電話機１、２を用いて通話する。このように、テレビ電話形式では視覚的にコミュニケーションを図ることができるため、聾唖者などのように聴覚障害を抱えた人たちも、携帯電話機１、２を用いて手話などの動作を動画像として送受信するによって、携帯電話機１、２を用いてコミュニケーションをとることができる。
【０００６】
また携帯電話機を用いた通信手段において、ユーザの感情をより豊かに表現する方法を開示したものとして以下の特許文献がある。
【特許文献１】特開２００４−５４４７１号公報
【特許文献２】特開２００５−１３５１６９号公報  特許文献１に記載の携帯電話機は、顔文字、絵文字に対応するキャラクタなどを記憶部に予め登録しておく。そして電子メール内に顔文字、絵文字が存在する場合には、当該顔文字、絵文字に対応するキャラクタが存在するか記憶部内を検索して、対応するキャラクタが存在する場合には顔文字、絵文字に変えてそのキャラクタを表示するものである。これにより、ユーザの感情をより豊かに表現することができる。
【０００７】
特許文献２に記載の携帯電話機は、電子メール送信者の感情が受信者に伝わりやすい携帯電話機であって、絵文字よりも表情を大きく表現することができる表現データによる画像を出力し、電子メールを受信した携帯電話機のユーザに対して電子メール送信者の感情をより伝わりやすくするものである。
【発明の開示】
【発明が解決しようとする課題】
【０００８】
しかしながら、上記特許文献に記載の携帯電話機は、より送信者の感情を豊かに表現することはできるが、聾唖者などに対しての携帯電話機の利便性を向上させることはできない。
【０００９】
また一般的に、携帯電話機におけるテレビ電話機能を用いた場合、携帯電話機の消費電力は大きく、音声だけの通話に比べて、通話時間を充分に確保できないといった問題がある。さらに現在の携帯電話機に搭載したカメラ性能では、表示画像が不鮮明であり、円滑なコミュニケーションをできないのが現状である。特に、充分な明るさがない環境では、テレビ電話機能は充分に動作することができないため、人物自体が写らなくなってしまい、視覚的にコミュニケーションを図るのが困難である。また携帯電話機においてのテレビ電話による通信は、動画を扱うため送受信するデータ量が大きいため、通話料金が高いといった問題もある。
【００１０】
そこで本発明は、携帯電話機の消費電力を大きくすることなく、通話料金のコストを抑えたまま、聾唖者など聴覚障害を抱えた人たちも携帯電話機を用いてより感情を豊かに表現してコミュニケーションを図ることを実現することを目的とする。
【課題を解決するための手段】
【００１１】
本実施例に係る情報処理装置は、他の情報処理装置と通信可能であって、画像を送受信することが可能な情報処理装置において、文字及び／または数字に対応し、指文字を表わす１または複数の指文字画像から構成される表示パターン辞書を格納する格納部と、文字及び／または数字を入力する操作部と、該操作部おいて入力した文字及び／または数字に対応する指文字画像を該表示パターン辞書の中から選択する画像選択部と、該選択した指文字画像を他の情報処理装置に送信する送信部とからなることを特徴とする。
【００１２】
また本実施例に係る情報処理装置は、該選択した指文字画像を表示する表示部をさらに有し、該表示部は、画面を分割して表示し、分割した画面に他の情報処理装置から受信する指文字画像を表示し、他の分割した画面に該選択した指文字画像を表示することを特徴とする。
【００１３】
また本実施例に係る情報処理装置は、他の情報処理装置と通信可能であって、画像を送受信することが可能な情報処理装置において、文字及び／または数字に対応するコードであって、指文字を表わす指文字画像を他の情報処理装置において表示することを指示する文字コードを格納する格納部と、文字及び／または数字を入力する操作部と、該操作部おいて入力した文字及び／または数字に対応する文字コードを選択する文字コード選択部と、該選択した文字コードを他の情報処理装置に送信する送信部とからなることを特徴とする。
【００１４】
また本実施例に係るユニバーサル通信方法は、他の情報処理装置と通信可能であって、画像を送受信することが可能なユニバーサル通信方法において、文字及び／または数字に対応し、指文字を表わす１または複数の指文字画像から構成される表示パターン辞書を格納する格納手順と、文字及び／または数字を入力する操作手順と、該操作手順おいて入力した文字及び／または数字に対応する指文字画像を該表示パターン辞書の中から選択する画像選択手順と、該選択した指文字画像を他の情報処理装置に送信する送信手順とからなることを特徴とする。
【００１５】
さらに本実施例に係るユニバーサル通信プログラムは、他の情報処理装置と通信可能であって、画像を送受信することが可能なユニバーサル通信プログラムにおいて、文字及び／または数字に対応し、指文字を表わす１または複数の指文字画像から構成される表示パターン辞書を格納する格納ステップと、文字及び／または数字を入力する操作ステップと、  該操作ステップおいて入力した文字及び／または数字に対応する指文字画像を該表示パターン辞書の中から選択する画像選択ステップと、該選択した指文字画像を他の情報処理装置に送信する送信ステップとをコンピュータに実行させることを特徴とする。
【発明の効果】
【００１６】
本発明によれば、携帯電話機の消費電力を大きくすることなく、通話料金のコストを抑えたまま、聾唖者など聴覚障害を抱えた人たちも携帯電話機を用いてより感情を豊かに表現してコミュニケーションを図ることができる。
【発明を実施するための最良の形態】
【００１７】
図２は、本実施例に係る情報処理装置の模式図である。
【００１８】
本実施例では、情報処理装置２０１の例として携帯電話機を例にとる（以下、情報処理装置２０１は携帯電話機２０１と呼ぶ）。もちろん、情報処理装置２０１は携帯電話機に限られることはなく、ＰＣ（Ｐｅｒｓｏｎａｌ  Ｃｏｍｐｕｔｅｒ；パーソナルコンピュータ）やＰＤＡ（Ｐｅｒｓｏｎａｌ  Ｄｉｇｉｔａｌ  Ａｓｓｉｓｔａｎｃｅ）などの他の情報処理装置を通信可能な情報処理装置であればよい。
【００１９】
携帯電話機２０１は、筐体部２０２、２０３をヒンジ部２０４で連結して開閉可能に構成されている。筐体部２０３には操作部２０５、マイクロフォン２０６、筐体部２０２には、表示部２０７、スピーカ２０８、カメラ２０９等が実装されている。表示部２０７の画面には、メニュー表示、メール本文等が表示される。また表示部２０７の画面は、２分割して表示が可能であり、画面２０７１、２０７２に分割して表示される。操作部１０５は、テンキー、通話キー、終話キー、ファンクションキー、十字キーなどが設けられており、ユーザは該操作部１０５を用いて、電話番号、メールアドレスの入力、携帯電話機２０１が有する各機能を呼び出しおよびその機能の操作をすることができる。
【００２０】
そして、携帯電話機２０１は、無線により基地局に接続されており、基地局と接続されている交換機を介して他の携帯電話機と通信を行う。
【００２１】
図３は、本実施例に係る携帯電話機２０１のハードブロック図である。
【００２２】
情報処理装置２０１は、制御部３０１、格納部３０２、送受信部３０３、表示部２０７、操作部２０５、通信制御部３０４、音声処理部３０５、スピーカ２０８、マイクロフォン（以下、単にマイクと略す。）２０６、カメラ２０９から構成される。
【００２３】
制御部３０１は、ＣＰＵ、ＲＯＭ、ＲＡＭ等を備えたコンピュータで構成され、格納部３０２、送受信部３０３、表示部２０７、操作部２０５の各種制御を行う。これらの制御は、制御部３０１が有するＲＯＭに格納されている制御プログラムの実行等により処理される。ここで制御プログラムが格納されている場所はＲＯＭに限られることはなく、ＲＯＭに相当する他の記録媒体であっても構わない。
【００２４】
格納部３０２は、ＲＯＭ（Ｒｅａｄ−Ｏｎｌｙ  Ｍｅｍｏｒｙ）、ＲＡＭ（Ｒａｎｄｏｍ−Ａｃｃｅｓｓ  Ｍｅｍｏｒｙ）等を総括的に表しており、着脱可能な記録媒体で構成してもよく、電源を解除しても記憶内容を消失しないメモリとして例えば、フラッシュメモリなどによって構成してもよい。
【００２５】
そして格納部３０２には、表示パターン辞書３０２１が格納されている。表示パターン辞書３０２１は、日本語の清音それぞれに対応する指文字を表す静止画像（以下、指文字静止画像と呼ぶ。）と半濁音、濁音、促音、長音、拗音、「ん」それぞれを表す動画像（以下、指文字動画像）から構成される。また表示パターン辞書３０２１には、数字を表す数字指文字静止画像、数字指文字動画像も含まれている。さらに表示パターン辞書３０２１には、アルファベットに対応するアルファベット指文字静止画像、アルファベット指文字動画像も含まれており、アルファベット指文字静止画像及びアルファベット指文字動画像は、アルファベットを片手で表す画像とアルファベットを両手で表す画像とがある。以下、指文字静止画像、指文字動画像、数字指文字静止画像、数字指文字動画像、アルファベット指文字静止画像及びアルファベット指文字動画像を総称して、指文字画像と呼ぶ。
【００２６】
送受信部３０３は、アンテナを通して無線信号電波の送信及び／又は受信を行う。
【００２７】
通信制御部３０４は、カメラ２０９により、取り込んだ静止画像や動画像を示す信号、通話信号、ダイヤル信号等による搬送信号の変調や復調等を行い、送受信する無線信号電波を生成する。
【００２８】
音声処理部３０５は、スピーカ２０８、マイク２０６と接続されており、マイク２０６より取り込んだアナログ音声信号をデジタル信号に変換し、制御部３０１から出力されるデジタル音声信号をアナログ信号に変換する。スピーカ２０８は、制御部３０１から出力される音声信号やマイク２０６を通して取り込まれた音声信号の再生に用いられる。
【００２９】
表示部２０７は例えば、ＬＣＤ（Ｌｉｑｕｉｄ  Ｃｒｙｓｔａｌ  Ｄｉｓｐｌａｙ）素子等で構成され、制御部３０１に対する各種の入力情報や出力情報を表示する。
【００３０】
操作部１０５は、テンキー、通話キー、終話キー、ファンクションキー、十字キーなどが設けられており、ユーザは該操作部１０５を用いて、通話操作を行うことができ、指文字画像を相手方の携帯電話機に送信する操作を行うことができる。
【００３１】
次に、携帯電話機２０１を用いた通話について説明する。
【００３２】
まずユーザは操作部２０５を用いて、通話形式を選択する。本実施例における通話形式は、音声による音声通話形式、お互いの表情などを撮影した動画等及び該動画等に対応する音声を送受信することによって通話を行うテレビ電話形式、ユーザ、相手方が入力する文字などに対応する指文字画像をお互いの携帯電話機の画面に表示して通話を行うユニバーサル通信形式がある。ここで音声通話方式、テレビ電話形式は、従来の技術に準ずる通話形式であり、本実施例では、以下、ユニバーサル通信形式によって行う通話のみ説明する。
【００３３】
ユーザがユニバーサル通信形式を選択すると、表示部２０７の画面の画面が、画面２０７１、２０７２に分割して表示される。ここで表示部２０７における表示スタイルは、２分割表示に限定されることはなく、画面が他の数に分割される構成であっても構わないし、分割されなくても構わない。
【００３４】
ユーザは、操作部２０５を操作して相手方に発呼して通信を試みる。相手方がユニバーサル通信形式によって通信することを許可すると、通話可能の状態となる。また携帯電話機２０１が、相手方からユニバーサル通信形式によって着信した場合、ユーザはユニバーサル通信形式によって通信することを許可するか否かを操作部２０５を操作して許否決定をする。
【００３５】
そしてユーザは相手方に伝えたい文字などを操作部２０５を用いて入力する。
【００３６】
制御部３０１は、格納部３０２に格納されている表示パターン辞書３０２１を呼び出し、入力した文字などに対応する指文字画像を画面２０７２に表示し、さらに相手方の携帯電話機に該指文字画像を送信する。相手方の携帯電話機は、該指文字画像を受信して、制御該指文字画像を表示する。この際に、相手方の携帯電話機における表示スタイルは任意であり、画面を分割して、一の画面に該指文字画像を表示する構成であってもよいし、他の表示スタイルであってもよい。同様にして、相手方もユーザに伝えたい文字などを入力し、入力した対応する指文字画像を携帯電話機２０１に送信する。携帯電話機２０１は相手方の携帯電話機より指文字画像を送受信部３０３によって受信すると、画面２０７１に相手方の携帯電話機より受信した指文字画像を表示する。
【００３７】
ユーザが次の文字を入力すると、画面２０７２に表示されている指文字画像を入力した文字に対応する指文字画像に更新して、画面２０７２に表示する。そして相手方の携帯電話機に次に入力した文字に対応する指文字画像を送信する。以下同様して、ユーザ及び相手方は文字を入力して、入力した文字に対応する指文字画像を送受信し、指文字画像を更新して表示していく。
【００３８】
また表示パターン辞書３０２１は、格納部３０２に格納されておらず、携帯電話機２０１と通信を行うことが可能なサーバ装置に格納されている構成であってもよい。ユーザが所望の文字などを入力し、該文字など又は該文字などに対応する文字コードをサーバ装置へも送信する。サーバ装置は、受信した文字など又は該文字コードに対応する指文字画像を表示パターン辞書から選択する。そしてサーバ装置は、選択した指文字画像を相手方の携帯電話機に送信する。
【００３９】
これにより、ユーザ及び相手方は、伝えたい文章を１または複数の指文字画像によって作成することができ、聾唖者などの聴覚に障害を抱えた人たちであっても、携帯電話機を用いて、容易にコミュニケーションを図ることができる。
【００４０】
図４は、本実施例に係るユニバーサル通信処理のフローチャートである。
【００４１】
まずユーザは操作部２０５を用いて、通話形式としてユニバーサル通信形式を選択する（ステップＳ４０１）。
【００４２】
ユーザがユニバーサル通信形式を選択すると、表示部２０７の画面の画面が、画面２０７１、２０７２に分割して表示される（ステップＳ４０２）。
【００４３】
そしてユーザは、通話を試みる相手方を特定し、相手方に発呼する（ステップＳ４０３）。例えば、ユーザは電話番号を入力したり予め携帯電話機２０１に登録されているアドレス帳から相手方の電話番号を選択したりなどして、相手方の特定を行う。
【００４４】
本実施例においては、ユニバーサル通信形式を選択した後、相手方に発呼を行っているが、相手方に発呼した後、ユニバーサル通信形式を選択する構成であってもよい。
【００４５】
相手方がユニバーサル通信形式によって通信することを許可するか否かの許否通知を携帯電話機２０１に送信し、制御部３０１は該許否通知がユニバーサル通信形式によって通信することを許可するものか否かを判断する（ステップＳ４０４）。
【００４６】
制御部３０１が、該許否通知がユニバーサル通信形式による通信を拒否する旨である場合には、ユニバーサル通信処理を終了する。制御部３０１が、該許否通知がユニバーサル通信形式による通信を許可する旨である場合には、相手方と回線が接続され通話可能な状態となる。そして画面２０７２に文字入力画面が表示され、ユーザは操作部２０５を操作して、伝えたい文字を入力する（ステップＳ４０５）。
【００４７】
制御部３０１は、格納部３０２に格納されている表示パターン辞書３０２１を呼び出し、ユーザが入力した文字に対応する指文字画像を該表示パターン辞書３０２１から選択する（ステップＳ４０６）。そして制御部３０１は、選択した該指文字画像を画面２０７２に表示する。この際、制御部３０１は、相手方の携帯電話機に該指文字画像を送信する（ステップＳ４０７）。制御部３０１が選択した該指文字画像を画面２０７２に表示することによって、ユーザは画面２０７２に表示される該指文字画像を見ることでき、誤入力などに用意に気づくことができる。また該指文字画像に代えて、入力した文字を画面２０７２に表示する構成であってもよい。
【００４８】
そして制御部３０１は、ステップＳ４０５において入力した文字が最後か否かを判断する（ステップＳ４０７）。
【００４９】
ユーザが入力した文字が最後でないと判断した場合には、ユーザが次の文字を入力し（ステップＳ４０５）、画面２０７２に表示されている指文字画像を新たに入力した文字に対応する新たな指文字画像を選択して更新し（ステップＳ４０６）、画面２０７２に表示する。そして制御部３０１は、相手方の携帯電話機に新たに入力した文字に対応する新たな指文字画像を送信する（ステップＳ４０７）。同様して、ユーザ及び相手方は文字を入力して、入力した文字に対応する指文字画像を送受信し、指文字画像を更新して表示していく。
【００５０】
ユーザが入力した文字が最後であると判断した場合には、ユニバーサル通信処理を終了する。ここで、入力した文字が最後か否かの判断は、ユーザが、文字入力が終了である旨を示す指示を入力したか否かによって判断する。つまり制御部３０１は、文字入力が終了である旨を示す指示が入力されたと判断した場合には、ユニバーサル通信処理を終了し、文字入力が終了である旨を示す指示が入力されていないと判断した場合には、ユニバーサル通信処理を続行する。
【００５１】
次にユニバーサル通信処理の他の実施例を説明する。
【００５２】
図５は、本実施例に係るユニバーサル通信処理のフローチャートである。
【００５３】
図５に記載のフローチャートに係るユニバーサル通信処理では、相手方に指文字画像は送信せず、指文字画像を示す文字コード若しくはユーザが入力した文字を示す文字コードを送信するものである。
【００５４】
まずユーザは操作部２０５を用いて、通話形式としてユニバーサル通信形式を選択する（ステップＳ５０１）。
【００５５】
ユーザがユニバーサル通信形式を選択すると、表示部２０７の画面の画面が、画面２０７１、２０７２に分割して表示される（ステップＳ５０２）。
【００５６】
そしてユーザは、通話を試みる相手方を特定し、相手方に発呼する（ステップＳ５０３）。例えば、ユーザは電話番号を入力したり予め携帯電話機２０１に登録されているアドレス帳から相手方の電話番号を選択したりなどして、相手方の特定を行う。
【００５７】
本実施例においては、ユニバーサル通信形式を選択した後、相手方に発呼を行っているが、相手方に発呼した後、ユニバーサル通信形式を選択する構成であってもよい。
【００５８】
相手方がユニバーサル通信形式によって通信することを許可するか否かの許否通知を携帯電話機２０１に送信し、制御部３０１は該許否通知がユニバーサル通信形式によって通信することを許可するものか否かを判断する（ステップＳ５０４）。
【００５９】
制御部３０１が、該許否通知がユニバーサル通信形式による通信を拒否する旨である場合には、ユニバーサル通信処理を終了する。制御部３０１が、該許否通知がユニバーサル通信形式による通信を許可する旨である場合には、相手方と回線が接続され通話可能な状態となる。そして画面２０７２に文字入力画面が表示され、ユーザは操作部２０５を操作して、伝えたい文字を入力する（ステップＳ５０５）。
【００６０】
制御部３０１は、格納部３０２に格納されている表示パターン辞書３０２１を呼び出し、ユーザが入力した文字に対応する指文字画像を該表示パターン辞書３０２１から選択する（ステップＳ５０６）。そして制御部３０１は、選択した該指文字画像を画面２０７２に表示する。この際、制御部３０１は、相手方の携帯電話機に該指文字画像を示す文字コードを送信する（ステップＳ５０７）。制御部３０１が選択した該指文字画像を画面２０７２に表示することによって、ユーザは画面２０７２に表示される該指文字画像を見ることでき、誤入力などに容易に気づくことができる。また該指文字画像に代えて、入力した文字を画面２０７２に表示する構成であってもよい。該文字コードが該指文字画像に対応する文字を示す文字コードであってもよい。相手方の携帯電話機の制御部は、該文字コードを受信すると、相手方の携帯電話機の格納部に格納されている表示パターン辞書を呼び出し、該文字コードが示す指文字画像を選択する。相手方の携帯電話機の画面に選択した指文字画像を表示する。
【００６１】
そして制御部３０１は、ステップＳ５０５において入力した文字が最後か否かを判断する（ステップＳ５０７）。
【００６２】
ユーザが入力した文字が最後でないと判断した場合には、ユーザが次の文字を入力し（ステップＳ５０５）、画面２０７２に表示されている指文字画像を新たに入力した文字に対応する新たな指文字画像を選択して更新し（ステップＳ５０６）、画面２０７２に表示する。そして制御部３０１は、相手方の携帯電話機に新たに入力した文字に対応する新たな指文字画像を示す新たな文字コードを送信する（ステップＳ５０７）。同様して、ユーザ及び相手方は文字を入力して、入力した文字に対応する指文字画像を示す文字コードを送受信し、指文字画像を更新して表示していく。
【００６３】
ユーザが入力した文字が最後であると判断した場合には、ユニバーサル通信処理を終了する。ここで、入力した文字が最後か否かの判断は、ユーザが、文字入力が終了である旨を示す指示を入力したか否かによって判断する。つまり制御部３０１は、文字入力が終了である旨を示す指示が入力されたと判断した場合には、ユニバーサル通信処理を終了し、文字入力が終了である旨を示す指示が入力されていないと判断した場合には、ユニバーサル通信処理を続行する。
【００６４】
次にユニバーサル通信処理の他の実施例を説明する。
【００６５】
図６、図７、図８は、ユニバーサル通信処理に係る概念図である。
【００６６】
まず図６に示すように、操作部２０５を構成するテンキー６０１のうち、「１」キー、「２」キー、「３」キー、「４」キー、「６」キーには、指文字画像を表す手６０２の指が割り当てられている。「１」キーには薬指、「２」キーには中指、「３」キーには人差し指、「４」キーには小指、「６」キーには親指に割り当てられており、ユーザが所望の指を折った手の画像を表示したい場合には、ユーザは該指に割り当てられたキーを押す。ユーザが所定のキーを押すことによって、割り当てられた指を折った画像が画面２０７２に表示される。ここで手６０２は、右手であって、手のひら側が表示されている手である。
【００６７】
そして図７に示すように、テンキー６０１のうち、「７」キー、「８」キー、「９」キー、「０」キーには、手６０２の４方向が割り当てられている。「７」キーには左向きの手７０１、「８」キーには上向きの手７０２、「９」キーには右向きの手７０３、「０」キーには下向きの手７０４が割り当てられている。ユーザが所望の方向を向いた手の画像を表示したい場合には、ユーザは該方向に割り当てられたキーを押す。
【００６８】
また「♯」キーには、手の甲側が割り当てられており、ユーザが手の甲側を表す手を表示したい場合には、ユーザは「♯」キーを押す。ユーザが再び、手のひら側を表わす手を表示したい場合には、再び「♯」キーを押す。本実施例では、「♯」キーを奇数回押すと手の甲側を表わす手が画面２０７２に表示され、「♯」キーを偶数回押すと手のひら側を表わす手が画面２０７２に表示される。
【００６９】
ユーザは、これらの割り当てられたキーを組合すことにより、所望の文字等に対応する指文字画像を作成し、該指文字画像を相手方の携帯電話機に送信する。
【００７０】
図８は、割り当てられたキーを押して作成する指文字画像の模式図である。
【００７１】
例えば、図８（ａ）に示すように、「あ」に対応する指文字画像を画面２０７２に表示し、相手方の携帯電話機に送信したい場合には、ユーザは「８」キー、「４」キー、「１」キー、「２」キー、「３」キーを押す。そして所定の決定キーを押して、「あ」に対応する指文字画像の作成を完了して、該指文字画像を画面２０７２に表示し、相手方の携帯電話機に該指文字画像を送信する。ここで決定キーは、終話キーとする。また図８（ｂ）に示すように、「ま」に対応する指文字画像を画面２０７２に表示し、相手方の携帯電話機に送信したい場合には、ユーザは「♯」キー、「０」キー、「４」キー、「６」キーを押す。そして終話キーを押して、「ま」に対応する指文字画像の作成を完了して、該指文字画像を画面２０７２に表示し、相手方の携帯電話機に該指文字画像を送信する。キーを押す順序は限定されず、それぞれ上記のキーの組み合わせであればよい。
【００７２】
また「５」キーは、指を「折る」、「伸ばす」の切り替えを行うことに割り当てられている。ユーザが「５」キーを押した後、「１」キー、「２」キー、「３」キー、「４」キー、「６」キーを押すと、それぞれのキーに割り当てられた指を伸ばした画像が画面２０７２に表示される。本実施例では、「５」キーを奇数回押すと所定のキー（「１」、「２」、「３」、「４」、「６」）が指を「伸ばす」キーとなり、「５」キーを偶数回押すと所定のキー（「１」、「２」、「３」、「４」、「６」）が指を「折る」キーとなる。
【００７３】
またユーザが所望の指文字画像を作成した後、該指文字画像を示す文字コードを相手方の携帯電話機に送信する構成であってもよい。相手方の携帯電話機の制御部は、該文字コードを受信すると、相手方の携帯電話機の格納部に格納されている表示パターン辞書を呼び出し、該文字コードが示す指文字画像を選択する。そして相手方の携帯電話機の画面に選択した指文字画像を表示する。
【００７４】
請求の範囲に記載の画像選択部が行う処理は、本実施例において、制御部３０１が処理するものであり、文字コード選択部が行う処理も制御部３０１が処理を行う。
【００７５】
次に、以上述べた情報処理装置の実施形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００７６】
（付記１）  他の情報処理装置と通信可能であって、画像を送受信することが可能な情報処理装置において、
文字及び／または数字に対応し、指文字を表わす１または複数の指文字画像から構成される表示パターン辞書を格納する格納部と、
文字及び／または数字を入力する操作部と、
該操作部おいて入力した文字及び／または数字に対応する指文字画像を該表示パターン辞書の中から選択する画像選択部と、
該選択した指文字画像を他の情報処理装置に送信する送信部と、
からなることを特徴とする情報処理装置。
【００７７】
（付記２）  該選択した指文字画像を表示する表示部をさらに有し、
該表示部は、画面を分割して表示し、分割した画面に他の情報処理装置から受信する指文字画像を表示し、他の分割した画面に該選択した指文字画像を表示することを特徴とする付記１に記載の情報処理装置。
【００７８】
（付記３）  他の情報処理装置と通信可能であって、画像を送受信することが可能な情報処理装置において、
文字及び／または数字に対応するコードであって、指文字を表わす指文字画像を他の情報処理装置において表示することを指示する文字コードを格納する格納部と、
文字及び／または数字を入力する操作部と、
該操作部おいて入力した文字及び／または数字に対応する文字コードを選択する文字コード選択部と、
該選択した文字コードを他の情報処理装置に送信する送信部と、
からなることを特徴とする情報処理装置。
【００７９】
（付記４）  該文字コードに対応する１または複数の指文字画像から構成される表示パターン辞書を格納する格納部と、
該文字コード選択部において選択した文字コードに対応する指文字画像を該表示パターン辞書の中から選択する画像選択部と、
該選択した指文字画像を表示する表示部をさらに有し、
該表示部は、画面を分割して表示し、分割した画面に他の情報処理装置から受信する文字コードに対応する指文字画像を表示し、他の分割した画面に該選択した指文字画像を表示することを特徴とする付記３に記載の情報処理装置。
【００８０】
（付記５）  文字及び／または数字に対応する１または複数の指文字画像から構成される表示パターン辞書を格納する格納部と、
該操作部おいて入力した文字及び／または数字に対応する指文字画像を該表示パターン辞書の中から選択する画像選択部と、
該選択した指文字画像を表示する表示部をさらに有し、
該表示部は、画面を分割して表示し、分割した画面に他の情報処理装置から受信する文字コードに対応する指文字画像を表示し、他の分割した画面に該選択した指文字画像を表示することを特徴とする付記３に記載の情報処理装置。
【００８１】
（付記６）  他の情報処理装置と通信可能であって、画像を送受信することが可能な情報処理装置において、
複数のパターンの手の画像から構成される表示パターン辞書を格納する格納部と、
複数のキーを有する操作部と、
キーの組み合わせに基づいて、該表示パターン辞書の中から手の画像を選択する画像選択部と、
該画像選択部において選択した手の画像を他の情報処理装置に送信する送信部と、
からなることを特徴とする情報処理装置。
【００８２】
（付記７）  他の情報処理装置と通信可能であって、画像を送受信することが可能なユニバーサル通信方法において、
文字及び／または数字に対応し、指文字を表わす１または複数の指文字画像から構成される表示パターン辞書を格納する格納手順と、
文字及び／または数字を入力する操作手順と、
該操作手順おいて入力した文字及び／または数字に対応する指文字画像を該表示パターン辞書の中から選択する画像選択手順と、
該選択した指文字画像を他の情報処理装置に送信する送信手順と、
からなることを特徴とするユニバーサル通信方法。
【００８３】
（付記８）  他の情報処理装置と通信可能であって、画像を送受信することが可能なユニバーサル通信プログラムにおいて、
文字及び／または数字に対応し、指文字を表わす１または複数の指文字画像から構成される表示パターン辞書を格納する格納ステップと、
文字及び／または数字を入力する操作ステップと、
該操作ステップおいて入力した文字及び／または数字に対応する指文字画像を該表示パターン辞書の中から選択する画像選択ステップと、
該選択した指文字画像を他の情報処理装置に送信する送信ステップと、
をコンピュータに実行させることを特徴とするユニバーサル通信プログラム。
【図面の簡単な説明】
【００８４】
【図１】従来の技術に係る携帯電話機
【図２】本実施例に係る携帯電話機
【図３】本実施例に係る通信の概念図
【図４】本実施例に係る通信の概念図
【図５】本実施例に係る携帯電話機
【図６】本実施例に係る通信の概念図
【図７】本実施例に係る携帯電話機のハードブロック図
【図８】本実施例に係る通信のフローチャート
【符号の説明】
【００８５】
１…携帯電話機
２…携帯電話機
１１…カメラ
１２…表示画面
２１…カメラ
２２…表示画面
２０１…携帯電話機
２０２…筐体部
２０３…筐体部
２０４…ヒンジ部
２０５…操作部
２０６…マイクロフォン
２０７…表示部
２０８…スピーカ
２０９…カメラ
２０７１…画面
２０７２…画面
３０１…制御部
３０２…格納部
３０２１…表示パターン辞書
３０３…送受信部
３０４…通信制御部
３０５…音声処理部
【図１】
0004677938.tif 000002
【図２】
0004677938.tif 000003
【図３】
0004677938.tif 000004
【図４】
0004677938.tif 000005
【図５】
0004677938.tif 000006
【図６】
0004677938.tif 000007
【図７】
0004677938.tif 000008
【図８】
0004677938.tif 000009